(57)【要約】      （修正有）【課題】天災時で水道管の破壊、折損などで市販の製氷機の使用が不可時に病気等で氷を緊急に必要時などに使う為の製氷機用の給水装置を備えた小型製氷機を提供する。【解決手段】給水タンク２０に、天災時に蓄えの水の容器（プラスチック製）を併用して使い、この水をインペラポンプ付のモ−タ１１を使い製氷機３０の給水接続口３４への送水を給水パイプ２６を経由して送り込む給水装置である。尚、取扱いを簡易にする為に各継手部には、切換弁又はコック１８とモ−タの作動の切換えには電気制御盤１５等も併設している。【選択図】図４
0003153333.tif 000002
【実用新案登録請求の範囲】
【請求項１】
圧縮機、凝縮器、膨張弁及び冷却器を備えた製氷機に於いて、
イ）  製氷機の裏側にある製氷の水源用の給水接続口に、給水タンクからの給水パイプと製氷機に取付の給水パイプを持ち、
ロ）  給水タンクと給水接続口には、給水の断続の切換え用のコックを配設し、
ハ）  前記の給水接続口と給水タンク間に送水用のインペラポンプ付のモ−タを配設し、
ニ）  給水タンクと給水接続口の間には、給水パイプの間のエヤ−抜きセンサ−、圧力センサ−、逆止弁及びエヤ−抜き弁を配設し、
以上をもって構成された給水装置を具備する事を特徴とする緊急時の搬入小型製氷機。
【請求項２】
イ）  製氷機の上側に、給水タンクをセットし、
ロ）  給水装置台に使用の電気部品の電気制御盤を付設し、
ハ）  給水装置台の上側に、給水装置の各部品と製氷機を取付け、
ニ）  給水装置台の下側に、搬入用の滑車を取付け、
以上のものを装備したことを特徴とする請求項１の緊急時の搬入小型製氷機。
【考案の詳細な説明】
【技術分野】
【０００１】  本考案は、水道管（連結）を使用しないで対応可能な緊急時の搬入小型製氷機の開発。
【背景技術】
【０００２】  従来の製氷機は、製氷の基になる水は、殆どが地域の水道水を製氷機に連結したもので設計され、業務・家庭用に使用されている。
また、水害・地振などの天災などにより、水道管の破損・破壊などにより冷蔵庫などで蓄えていた氷の使用が出来ない。天災時にあいにく、病気で熱が出て額を冷やす際に氷が必要な時に、天災時の飲料水を暫定的に使い、製氷が出来るものが必要であった。
土木・開墾地域での作業地でも自動車からの電源をコンバ−タを仲介して製氷機に電源に使えば、仕事の休息時の飲食も楽しく製氷を有効に使用することが出来る。【０００３】  ▲１▼  特許文献の「製氷機の給水装置」の図１で給水電磁弁への給水接続口への接続（例へば、特許文献１）
▲２▼  特許文献の「製氷機等の給水管接続構造」の図３で示す製氷機外での連結具（例えば、特許文献２）【０００４】
【特許文献１】  特開平０７−２９４０８０号公報／三洋電機（株）
【特許文献２】  実開平０６−０１８８７６号公報／ホシザキ電機（株）
【考案の開示】
【考案が解決しょうとする課題】
【０００５】  本考案は、市販の製氷機への給水の仕方が水道水からの方法を止めて、簡易な給水タンクに連結した本考案により対応可能した給水装置により行うものである。
即ち、その概略の経路図を図４に、これを実施した斜視図を図３に示した。
【０００６】  図２に通例の製氷機３０の製氷のメカニックスの概略を図示した。
これは、圧縮機４１、ファン４４ａ、凝縮器４６、膨張弁４７、ファン４４ｂ、冷却器、などを装備した機器を経由して製氷をする通常（市販）の製氷機３０の後ろ側部で、水道水を接続する給水接続口３４の所に本考案に使用する給水タンク２０からの水を、図４に示す給水パイプ２６ａを経由して給水パイプ２６ｅを経て連結して行う。
【課題を解決するための手段】
【０００７】  従来品は、製氷機に使用する水の水源は、地域又は都市化された上水道の水を用いたものでの設計であった。一方、下記する様な時に製氷機の氷塊が使えないので、これを解決するためのものが本考案の主旨で、ある少量の氷を必要とする課題で製氷機に水道水が使えない所に、製氷機３０の給水接続口３４にコック１８の連結で次の方法で解決した。
尚、使用条件下で使用する１００ボルト用のモ−タの電源がない時には、自動車からの電源を図示なきコンバ−タを仲介使用して製氷機の電源を使えば、実用的に問題なく、課題を達成することができる。
【発明の効果】
【０００８】イ）天災時用の緊急併用の手元に蓄えていた給水タンク（約２０ｌ容量）２０を使用し、ロ）製氷機に送り込む為インペラポンプ付１２のモ−タ１１に給水パイプ２６を使用し、ハ）給水パイプ２６内の空気抜きを除去するためにエヤ−抜きセンサ−１３、圧力センサ−１６、逆止弁１９、エヤ−抜き弁１７、コック１８を備えて行う。
【０００９】イ）水害による堤防の決壊・地震などの天災などによる水道管の破損・破壊などにより、製氷機に使用の水道水が使えないので、製氷機での氷の製作が出来ない。
ロ）山地での土木・未開発地域又は、炎天下の砂漠など水道管のない所での作業地又は、短期間の調査・研究などの出張時にての僻地での急病での熱病を冷やす時に少量の氷塊を必要時に対応する。
ハ）山地での土木・未開発地域などで作業する夏場での作業時の休憩時のコ−ヒ（冷水）等に使用する時。
【考案を実施するための最良の形態】
【００１０】  以下、本考案の実施の形態を説明するまえに、製氷機に装着の概略を説明して、本考案との連結部の関係部の説明を参考的に図１〜図２に基づいて説明を行う。【００１１】  まず、図１は、本考案を装着したときの、製氷機の前面からの斜視図を参考に示した。従って、外観的には、使用メ−カの装着の製氷機３０のデザインにて殆ど決定的になり、この図の右側にある本考案にて使用の装着カバ−２９の中に内装されている。
且つ、本考案から使用する滑車２８付きの給水装置台２７と、本考案にて使用する上側の給水タンク２０が新規なデザインとして見える事になる。【００１２】  一方、図２は、参考的に従来使用の製氷機３０の氷の製作の機能の概略を述べる。
先ず、図示なき冷媒ガス４８を、圧縮機（コンプレッサ−）４１にて圧縮し液体３８にしたものを膨張弁４７を通して圧力を下げ、ファン４４ｂをへて冷却器４３でガスを元の気体に戻す。この時の気化熱で水を冷やして氷を製造する。
冷却器４３部で製氷機の下側部から送水してきた図示なき噴孔からの水を冷却器の凝縮器にて製氷２０Ｗを行う。尚、ガスは、放熱器４２へ導きファン４４ａで室外に放熱され気体３７となり圧縮機に吸引され、前記のサイクルを繰り返して使用する。一方、分割された製氷２０Ｗのものは、必要分を製氷機ドア−上３３ａから取り出して使用される。
【実施例１】
【００１３】  以下に本考案の説明を（図３と図４にて）する。
本考案の図３の給水装置１０を説明するに当たり理解の容易化の為に模式図４にて示す。
図４は、従来の製氷機３０に、本考案の給水装置１０を装着してものであり、これを以下に説明する。
１０は、本考案の主体である、給水装置である。次の諸々のものから構成されている。
１１は、給水タンクの水（２０Ｗ）を製氷機３０に送り込むインプラポンプ１２を作動させるのに用いる単相１００Ｖの、モ−タである。
１２は、水を送出に用いる図示なきケ−シング内で渦巻き形をした螺旋形の羽を持ち、モ−タ軸と一体となりモ−タ軸の回転で動く、インペラポンプである。
１３は、モ−タのインペラポンプの作動を円滑にする為の、エヤ−抜きセンサ−である。
１４は、エヤ−抜きセンサ−と連動する、エヤ−抜き電磁弁である。
１５は、各センサ−１３、１６、モ−タ１１及び電磁弁１４の為の、電気制御盤である。
なお、各センサ−１３、１６と電気制御盤との接続線は、図３及び図４においては便宜上に図を省略している。また、図３及び図４の説明図でも、電源線は省略している。【００１４】１６は、水の送出圧を制御するために使用の、圧力センサ−である。
１７は、給水パイプ内の空気抜きのための、エヤ−抜き弁である。
１８は、水の流れの方向を変える切換弁。又、水の流れを止めるための、コックである。
バルブで、給水のＯＮ（流れ）・ＯＦＦ（切れ）時に使う、切換弁である。
１９は、水の送出時の逆流れを阻止するための、逆止弁である。【００１５】２０は、本考案用に使用するプラスチックにて製作の、給水タンクである。
なお、両側に取扱いの容易な握２０ｂを持っている。
２１は、本考案のために設けた給水装置用の、給水タンク継手である。
尚、天災時の緊急用として備えの飲料用容器（約２０ｌ容量）を併用したプラスチック製の、給水タンク本体２０ａとしている。このタンク本体の取扱い容易化の為、握り２０ｂを一体化で設けている。給水の取扱い容易化で蓋２０ｃを付設している。【００１６】２６は、製氷水の供給用のビニ−ル製の、パイプである。
２７は、本考案の給水装置の部品を取付ける為の、給水装置台である。
２８は、どこでも搬入を容易にする為に給水装置台の下に取付けの、滑車である。
２９は、本考案の給水装置の諸々の部品を被うための、鉄板製の装置カバ−である。
３４は、製氷機３０の裏側に水道水を取込みの、給水接続口を持つ。
【図面の簡単な説明】
【００１７】
【図１】市販の製氷機に本考案の給水装置を装着時の、前面から見た時の斜視図。
【図２】一般的な製氷機の機能部の、機構を説明用の概略図。
【図３】製氷機の本体部の機構に、本考案の水の供給装置を装着の概略図。
【図４】製氷機への水の供給経路を示す、本考案の概略図。
【符号の説明】
【００１８】１０  給水装置
１１  モ−タ
１２  インペラポンプ
１３  エヤ−抜きセンサ−
１４  エヤ−抜き電磁弁
１５  電気制御盤
１６  圧力センサ−
１７  エヤ−抜き弁
１８  切換弁  又は、コック
１９  逆止弁
２０  給水タンク
２０ａ  給水タンク本体
２０ｂ  給水タンク握り
２０ｃ  給水タンク蓋
２０Ｗ  製氷，又は、氷
２１  給水タンク継手
２６  給水パイプ  又は、パイプ
２７  給水装置台
２８  滑車
２９  装置カバ−【００１９】３０  製氷機
３２  製氷機蓋
３３  製氷機前ドア−
３３ａドア−上、    ３３ｂドア−下
３４  給水接続口
３６  排水接続口
３７  気体
３８  液体
４１  圧縮機
４２  放熱器
４３  冷却器
４４  ファンａ、    ４４  ファンｂ
４６  疑縮器
４７  膨張弁
４８  冷媒ガス
【図１】
0003153333.tif 000003
【図２】
0003153333.tif 000004
【図３】
0003153333.tif 000005
【図４】
0003153333.tif 000006